【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
配送計画に係る複数の表を作成する配送計画作成システムにおいて、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具え、
前記表示画面中の第１の表および第２の表をそれぞれ個別に前記表示画面上に表示可能であることを特徴とする配送計画作成システム。
【請求項２】
請求項１に記載の配送計画作成システムにおいて、前記指定手段はポインティングデバイスであって、該ポインティングデバイスのドラッグおよびドロップ操作により前記転記元の位置および転記先の位置を指定することを特徴とする配送計画作成システム。
【請求項３】
請求項１に記載の配送計画作成システムにおいて、前記第１の表で代表させる特定の情報を該情報が含まれるデータセットの中から選択可能とし、前記第２の表で代表させる特定の情報の種類を該情報が含まれるデータセットの情報の種類の中から選択可能とすることを特徴とする配送計画作成システム。
【請求項４】
請求項１に記載の配送計画作成システムにおいて、前記第一の表中での前記指定手段の位置指定による前記記憶手段中の第１の表のデータセットの転記を禁止可能とし、又は、前記第２の表中での前記指定手段による転記元および転記先の位置指定に応じて、前記記憶手段中の第２の表のデータセットを転記可能とすることを特徴とする配送計画作成システム。
【請求項５】
請求項４に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示し、又は、前記表示画面中の第２の表の行ごとにチェックボタンを表示させ、該チェックボタンを前記指定手段による操作で前記第２の表のその行に関するデータセットの転記の許可／禁止を指示することを特徴とする配送計画作成システム。
【請求項６】
配送計画に係る複数の表を作成する配送計画作成システムの配送計画作成方法において、
第１の表中の第１のデータセットおよび第２の表中の第２のデータセットを第２の表の位置に関連付けてそれぞれ記憶手段に記憶しておき、
前記第１の表および前記第２の表を表示画面の１画面中に表示する表示ステップであって、前記第１の表中に表示する情報を前記第１のデータセットの中の特定の情報に代表させ、前記第２の表中に表示する情報を前記第２のデータセットの中の特定の情報に代表させる表示ステップと、
前記表示画面上で、転記元の第１の表中の位置および転記先の第２の表中の位置を指定する指定ステップと、
当該指定に応じて、前記記憶手段の中の、前記指定ステップにおいて指定された位置に対応する転記元のデータセットを転機先の位置に対応する記憶手段の記憶領域に転記する第１の制御ステップと、
前記指定ステップでの指定に応じて表示画面中の前記第２の表の転記先の位置に、転記されたデータセットの中の特定の情報を表示させる第２の制御ステップと
を具えたことを特徴とする配送計画作成システムの配送計画作成方法。
【請求項７】
複数の表を作成するシステムの情報処理装置において、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する際に、前記第１の表中に表示する情報を前記第１のデータセットの中の特定の情報に代表させ、前記第２の表中に表示する情報を前記第２のデータセットの中の特定の情報に代表させる手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具えたことを特徴とする情報処理装置。
【請求項８】
車両の配送ルートを作成するための配送計画作成システムにおいて、
前記車両の作業先の順番について、前記作業先の種類に対応させて制約を予め設けておき、
前記車両の配送ルートを入力する入力手段と、
当該入力された配送ルートが前記制約を満足するか否かを判定する判定手段と、
当該判定の結果が否の場合にはエラー警告を行なう手段と、
当該判定の結果が満足するの場合には、前記入力手段から入力された車両情報の配送ルートを受け付ける手段と
を具え、前記入力手段は、前記配送ルート上の少なくとも１つの作業先に関する情報を個別入力し、該情報の入力順で前記配送ルートを入力することを特徴とする配送計画作成システム。
【請求項９】
車両の配送ルートを作成するための配送計画作成システムの配送計画作成方法において、
前記車両の作業先の順番について、前記作業先の種類に対応させて制約を予め設けておき、前記配送計画作成システムは、
前記車両の配送ルートを入力する入力ステップと、
当該入力された配送ルートが前記制約を満足するか否かを判定する判定ステップと、
当該判定の結果が否の場合にはエラー警告を行なうステップと、
当該判定の結果が満足するの場合には、前記入力手段から入力された車両情報の配送ルートを受け付けるステップと
を具えたことを特徴とする配送計画作成システムの配送計画作成方法。
【請求項１０】
表の形態で車両の配送計画を表し、当該表を作成する配送計画作成システムにおいて、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
作業先に関する情報を入力する手段と、
前記第１の表および前記第２の表を画面に表示する表示手段と、
前記第１の表の作業先のフィールド中の任意の行を指定し、次に前記第２の表の任意の時刻のフィールドの任意の行を指定する指定手段と、
該指定手段の指定により指定された作業先の作業予定時刻を設定する設定手段と
を具えたことを特徴とする配送計画作成システム。
【請求項１１】
表の形態で車両の配送計画を表し、当該表を作成する配送計画作成システムの配送計画作成方法において、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
前記配送計画作成システムの処理ステップは、
作業先に関する情報を入力するステップと、
前記第１の表および前記第２の表を同一画面に表示する表示ステップと、
前記第１の表の作業先のフィールド中の任意の行を指定し、次に前記第２の表の任意の時刻のフィールドの任意の行を指定する指定ステップと、
該指定ステップでの指定により指定された作業先の作業予定時刻を設定する設定ステップと
を具えたことを特徴とする配送計画作成システムの配送計画作成方法。
【請求項１２】
表の形態で車両の配送計画を表し、当該表を作成する配送計画作成システムのサーバの制御プログラムにおいて、
前記表を構成する第１の表と第２の表の２種類が用意され、前記第１の表は、車両に関連する第１のフィールドおよび該車両の配送の作業先を示す複数のフィールドを有し、
前記第２の表は車両に関連する第２のフィールドおよび配送時刻を示す複数のフィールドを有する表を提供する手段と、
作業先に関する情報の入力を促す手段と、
前記第１の表および前記第２の表をクライアントの画面に表示させるための手段と、
前記第１の表の作業先のフィールド中の任意の行を指定し、次に前記第２の表の任意の時刻のフィールドの任意の行を指定させる手段と、
該手段の指定により指定された作業先の作業予定時刻を設定する手段と
を具えたことを特徴とするプログラム。
【手続補正２】
【補正対象書類名】明細書
【補正対象項目名】０００５
【補正方法】変更
【補正の内容】
【０００５】
【課題を解決するための手段】
このような目的を達成するために、請求項１の発明は、配送計画に係る複数の表を作成する配送計画作成システムにおいて、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具え、
前記表示画面中の第１の表および第２の表をそれぞれ個別に前記表示画面上に表示可能であることを特徴とする。
【手続補正３】
【補正対象書類名】明細書
【補正対象項目名】０００７
【補正方法】変更
【補正の内容】
【０００７】
請求項３の発明は、請求項１に記載の配送計画作成システムにおいて、前記第１の表で代表させる特定の情報を該情報が含まれるデータセットの中から選択可能とし、前記第２の表で代表させる特定の情報の種類を該情報が含まれるデータセットの情報の種類の中から選択可能とすることを特徴とする。
【手続補正４】
【補正対象書類名】明細書
【補正対象項目名】０００８
【補正方法】変更
【補正の内容】
【０００８】
請求項４の発明は、請求項１に記載の配送計画作成システムにおいて、前記第一の表中での前記指定手段の位置指定による前記記憶手段中の第１の表のデータセットの転記を禁止可能とし、又は、前記第２の表中での前記指定手段による転記元および転記先の位置指定に応じて、前記記憶手段中の第２の表のデータセットを転記可能とすることを特徴とする。
【手続補正５】
【補正対象書類名】明細書
【補正対象項目名】０００９
【補正方法】変更
【補正の内容】
【０００９】
請求項５の発明は、請求項４に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示し、又は、前記表示画面中の第２の表の行ごとにチェックボタンを表示させ、該チェックボタンを前記指定手段による操作で前記第２の表のその行に関するデータセットの転記の許可／禁止を指示することを特徴とする。
【手続補正６】
【補正対象書類名】明細書
【補正対象項目名】００１０
【補正方法】変更
【補正の内容】
【００１０】
請求項６の発明は、配送計画に係る複数の表を作成する配送計画作成システムの配送計画作成方法において、
第１の表中の第１のデータセットおよび第２の表中の第２のデータセットを第２の表の位置に関連付けてそれぞれ記憶手段に記憶しておき、
前記第１の表および前記第２の表を表示画面の１画面中に表示する表示ステップであって、前記第１の表中に表示する情報を前記第１のデータセットの中の特定の情報に代表させ、前記第２の表中に表示する情報を前記第２のデータセットの中の特定の情報に代表させる表示ステップと、
前記表示画面上で、転記元の第１の表中の位置および転記先の第２の表中の位置を指定する指定ステップと、
当該指定に応じて、前記記憶手段の中の、前記指定ステップにおいて指定された位置に対応する転記元のデータセットを転機先の位置に対応する記憶手段の記憶領域に転記する第１の制御ステップと、
前記指定ステップでの指定に応じて表示画面中の前記第２の表の転記先の位置に、転記されたデータセットの中の特定の情報を表示させる第２の制御ステップと
を具えたことを特徴とする。
【手続補正７】
【補正対象書類名】明細書
【補正対象項目名】００１１
【補正方法】変更
【補正の内容】
【００１１】
請求項７の発明は、複数の表を作成するシステムの情報処理装置において、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する際に、前記第１の表中に表示する情報を前記第１のデータセットの中の特定の情報に代表させ、前記第２の表中に表示する情報を前記第２のデータセットの中の特定の情報に代表させる手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具えたことを特徴とする。
【手続補正８】
【補正対象書類名】明細書
【補正対象項目名】００１２
【補正方法】変更
【補正の内容】
【００１２】
請求項８の発明は、車両の配送ルートを作成するための配送計画作成システムにおいて、
前記車両の作業先の順番について、前記作業先の種類に対応させて制約を予め設けておき、
前記車両の配送ルートを入力する入力手段と、
当該入力された配送ルートが前記制約を満足するか否かを判定する判定手段と、
当該判定の結果が否の場合にはエラー警告を行なう手段と、
当該判定の結果が満足するの場合には、前記入力手段から入力された車両情報の配送ルートを受け付ける手段と
を具え、前記入力手段は、前記配送ルート上の少なくとも１つの作業先に関する情報を個別入力し、該情報の入力順で前記配送ルートを入力することを特徴とする。
【手続補正９】
【補正対象書類名】明細書
【補正対象項目名】００１３
【補正方法】変更
【補正の内容】
【００１３】
請求項９の発明は、車両の配送ルートを作成するための配送計画作成システムの配送計画作成方法において、
前記車両の作業先の順番について、前記作業先の種類に対応させて制約を予め設けておき、前記配送計画作成システムは、
前記車両の配送ルートを入力する入力ステップと、
当該入力された配送ルートが前記制約を満足するか否かを判定する判定ステップと、
当該判定の結果が否の場合にはエラー警告を行なうステップと、
当該判定の結果が満足するの場合には、前記入力手段から入力された車両情報の配送ルートを受け付けるステップと
を具えたことを特徴とする。
【手続補正１０】
【補正対象書類名】明細書
【補正対象項目名】００１４
【補正方法】変更
【補正の内容】
【００１４】
請求項１０の発明は、表の形態で車両の配送計画を表し、当該表を作成する配送計画作成システムにおいて、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
作業先に関する情報を入力する手段と、
前記第１の表および前記第２の表を画面に表示する表示手段と、
前記第１の表の作業先のフィールド中の任意の行を指定し、次に前記第２の表の任意の時刻のフィールドの任意の行を指定する指定手段と、
該指定手段の指定により指定された作業先の作業予定時刻を設定する設定手段と
を具えたことを特徴とする。
【手続補正１１】
【補正対象書類名】明細書
【補正対象項目名】００１５
【補正方法】変更
【補正の内容】
【００１５】
請求項１１の発明は、表の形態で車両の配送計画を表し、当該表を作成する配送計画作成システムの配送計画作成方法において、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
前記配送計画作成システムの処理ステップは、
作業先に関する情報を入力するステップと、
前記第１の表および前記第２の表を同一画面に表示する表示ステップと、
前記第１の表の作業先のフィールド中の任意の行を指定し、次に前記第２の表の任意の時刻のフィールドの任意の行を指定する指定ステップと、
該指定ステップでの指定により指定された作業先の作業予定時刻を設定する設定ステップと
を具えたことを特徴とする。
【手続補正１２】
【補正対象書類名】明細書
【補正対象項目名】００１６
【補正方法】変更
【補正の内容】
【００１６】
請求項１２の発明は、表の形態で車両の配送計画を表し、当該表を作成する配送計画作成システムのサーバの制御プログラムにおいて、
前記表を構成する第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表を提供する手段と、作業先に関する情報の入力を促す手段と、
前記第１の表および前記第２の表をクライアントの画面に表示させるための手段と、前記第１の表の作業先のフィールド中の任意の行を指定し、次に前記第２の表の任意の時刻のフィールドの任意の行を指定させる手段と、該手段の指定により指定された作業先の作業予定時刻を設定する手段とを具えたことを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３６
【補正方法】変更
【補正の内容】
【００３６】
図３は、図１に示すクライアント２０のＰＣのハードウェア構成の一例を示すブロック図である。クライアントのＰＣは、ＰＣ全体の制御を行う中央処理装置（Ｃｅｎｔｒａｌ  Ｐｒｏｃｅｓｓｏｒ  Ｕｎｉｔ；ＣＰＵ）２０−５と、図１０および図１１に示すフローのクライアントに対応するプログラムが格納されたＲＯＭ（Ｒｅａｄ  Ｏｎｌｙ  Ｍｅｍｏｒｙ）２０−１と、プログラムの実行に必要な一時データ格納領域を提供するＲＡＭ（Ｒａｎｄｏｍ  Ａｃｃｅｓｓ  Ｍｅｍｏｒｙ）２０−３を備え、これらがバス２０−１７を介して接続されている。また、ＰＣは、ＰＣのデータを入力するための入力装置２０−７と、インターネットとの接続を行う通信装置２０−９と、サーバからクライアントのＰＣに送信される情報に基づいて表示画面を生成する表示装置２０−１１、クライアントのキーボードから受信した制御信号に基づいて表示画面のカーソルを制御するカーソル制御装置２０−１３と、検索結果などの商品情報、顧客情報等とともに発注状況等を記憶するメモリとしての補助記憶装置２０−１５とを備え、これらがバス２０−１７とインタフェース２０−１９を介してＣＰＵ２０−５に接続されている。
【手続補正２７】
【補正対象書類名】明細書
【補正対象項目名】００３８
【補正方法】変更
【補正の内容】
【００３８】
通信ネットワーク３０はＷＡＮ（広域ネットワーク）、インターネット、専用電話回線、その他、利用可能な周知の通信ネットワークを使用することができる。
【手続補正２８】
【補正対象書類名】明細書
【補正対象項目名】００５０
【補正方法】変更
【補正の内容】
【００５０】
３０２〜３０４は複数の作業先に関する情報を個別に表示する欄である。本実施形態では、未入力の状態では、表示領域３０２〜３０４は白紙の状態である。このとき、表示領域３０２内のいずれかの位置をマウスにより指定すると（正確には、表示領域３０２内にマウスカーソルを位置させて、マウスの左ボタンをクリックすると）、作業先関連情報を入力するモードが設定されて、図６の作業先選択ボタンが表示される。図６の作業先選択ボタン４０１の所定のボタン、通常、最初は「倉庫」ボタンをマウスにより操作すると選択されたボタンに対応する作業先（この場合、倉庫）に関連する情報を入力するための入力画面（図７）が表示される。また、不図示の「閉じる」ボタンを操作すると図７の画面から図５の画面に戻ることができる。「次作業先」ボタン（不図示）を操作すると、図６の作業先選択ボタンが表示されるので、システムユーザは他の作業先の入力画面を選択して情報入力を行なう。
【手続補正２９】
【補正対象書類名】明細書
【補正対象項目名】００５４
【補正方法】変更
【補正の内容】
【００５４】
複数台の車両の配送計画を立案するための入力画面を図９に示す。なお、予め各車両の配送関連情報（図５〜図８の画面で入力された情報）がデータベース１３０に入力されているものとする。
【手続補正３０】
【補正対象書類名】明細書
【補正対象項目名】００６０
【補正方法】変更
【補正の内容】
【００６０】
設定欄７０６は、表示領域７０１または７１０の表の内に表示する情報（コマと称する）７０７の種類内容を設定する欄であり、本実施形態では、作業先住所、配送サービスＮｏ．作業先名のいずれかを選択することができる。ロックボタン７０８は表の行ごとに設けられており、マウスの操作でレ記号が付された状態ではコマの移動が禁止され、コマの移動させることができない。
【手続補正３１】
【補正対象書類名】明細書
【補正対象項目名】００７５
【補正方法】変更
【補正の内容】
【００７５】
表示する情報は設定欄７０６で選択された種類に対応する情報が、受信した情報の中から抽出される。図９の例では表示領域７０１の依頼一覧では作業先住所が表内に表示され、表示領域７１０の配送計画では配送サービスＮｏが、表内に表示される（ステップＳ１０）。
【手続補正３２】
【補正対象書類名】明細書
【補正対象項目名】００７６
【補正方法】変更
【補正の内容】
【００７６】
配送立案者は依頼一覧の中の特定のコマ（表の中の文字列）、たとえば、符号７１２で示すコマをマウスで指定した後（ステップＳ２０）、ドラッグして配送計画の表内の所定の位置、すなわち、ルートレコードまたは地域が合致する行で、配送したい時刻の列の位置にドロップする（ステップＳ３０）。これにより、コマ７１２で指定されたデータセットがＲＡＭ２０−３内のワークメモリ内の依頼一覧の該当記憶領域（マウスで最初に指定したコマに対応する記憶領域）からＲＡＭ２０−３内のワークエリア内の配送計画の該当記憶領域（マウスでドロップした位置に対応する記憶領域）にコピー記憶される。また、ボタン７０６で指定された情報、この場合、配送Ｎｏがコピー記憶した情報から取り出されて、配送計画内のドロップ位置に表示される。なお、図９では、ドロップされる前の状態を表示している。
【手続補正３３】
【補正対象書類名】明細書
【補正対象項目名】００７７
【補正方法】変更
【補正の内容】
【００７７】
このようなドラッグおよびドロップ操作を行うことで、クライアント２０のブラウザは指定されたコマの作業先関連情報のデータセットがＲＡＭ２０−３内のワークメモリ内の依頼一覧領域から作業計画一覧領域にコピー記憶されて（ステップＳ４０）、作業計画、すなわち、依頼された物品を運ぶ、ルートおよび時刻が決定される（ステップＳ５０）。これら一連の処理はＨＴＭＬ文書のスクリプトの定義にしたがって、クライアント２０側で実行される。
【手続補正３４】
【補正対象書類名】明細書
【補正対象項目名】００９９
【補正方法】変更
【補正の内容】
【００９９】
（請求項１）    配送計画に係る複数の表を作成する配送計画作成システム（例えば、図１の全体システム）において、
第１の表中の第１のデータセットおよび第２の表中の第２のデータセットを第２の表の位置に関連付けてそれぞれ記憶した記憶手段（例えば、サーバ１０内のワークメモリ）と、
前記第１の表および前記第２の表を表示画面の１画面中に表示する表示手段であって、前記第１の表中に表示する情報を前記第１のデータセットの中の特定の情報に代表させ、前記第２の表中に表示する情報を前記第２のデータセットの中の特定の情報に代表させる表示手段（例えば、クライアント２０のディスプレイ、図９参照）と、
前記表示画面上で、転記元の第１の表中の位置および転記先の第２の表中の位置を指定する指定手段（例えば、クライアント２０のマウスのようなポインティングデバイス）と、
当該指定に応じて、前記記憶手段の中の、前記指定手段により指定された位置に対応する転記元のデータセットを転機先の位置に対応する記憶手段の記憶領域に転記する第１の制御手段（例えば、ワークメモリ上からデータセットを読み出し、別の領域に書き込むクライアント２０のＣＰＵ）と、
前記指定手段の指定に応じて表示画面中の前記第２の表の転記先の位置に、転記されたデータセットの中の特定の情報を表示させる第２の制御手段（例えば、ＨＴＭＬ文書の定義に基づきブラウザを実行するクライアント２０内のＣＰＵ）とを具え、
前記表示画面中の第１の表および第２の表をそれぞれ個別に前記表示画面上に表示可能である（段落００５８）ことを特徴とする配送計画作成システム。
【手続補正３５】
【補正対象書類名】明細書
【補正対象項目名】０１００
【補正方法】変更
【補正の内容】
【０１００】
（請求項２）    請求項１に記載の配送計画作成システムにおいて、前記指定手段はポインティングデバイスであって、該ポインティングデバイスのドラッグおよびドロップ操作（例えば、図９の画面上での操作）により前記転記元の位置および転記先の位置を指定することを特徴とする配送計画作成システム。
【手続補正３６】
【補正対象書類名】明細書
【補正対象項目名】０１０１
【補正方法】変更
【補正の内容】
【０１０１】
（請求項３）    請求項１に記載の配送計画作成システムにおいて、前記第１の表で代表させる特定の情報を該情報が含まれるデータセットの中から選択可能とし、前記第２の表で代表させる特定の情報の種類を該情報が含まれるデータセットの情報の種類の中から選択可能とすることを特徴とする配送計画作成システム。（例えば、図９の「画面整列」ボタン７０２の操作で２つの表が表示されること）
【手続補正３７】
【補正対象書類名】明細書
【補正対象項目名】０１０２
【補正方法】変更
【補正の内容】
【０１０２】
（請求項４）    請求項１に記載の配送計画作成システムにおいて、前記第一の表中での前記指定手段の位置指定による前記記憶手段中の第１の表のデータセットの転記を禁止可能とし、又は、前記第２の表中での前記指定手段による転記元および転記先の位置指定に応じて、前記記憶手段中の第２の表のデータセットを転記可能とすることを特徴とする配送計画作成システム。（例えば、図９の表７０１中のボタン７０８の操作による設定、段落００６０）
【手続補正３８】
【補正対象書類名】明細書
【補正対象項目名】０１０３
【補正方法】変更
【補正の内容】
【０１０３】
（請求項５）    請求項４に記載の配送計画作成システムにおいて、前記表示画面中の第１の表の行ごとにチェックボタンを表示させ、該チェックボタンを前記指定手段による操作で前記第１の表のその行のデータセットの転記の許可／禁止を指示し、又は、前記表示画面中の第２の表の行ごとにチェックボタンを表示させ、該チェックボタンを前記指定手段による操作で前記第２の表のその行に関するデータセットの転記の許可／禁止を指示することを特徴とする配送計画作成システム。（（例えば、図９の表７０１中のボタン７０８の操作による設定、段落００６０）
【手続補正３９】
【補正対象書類名】明細書
【補正対象項目名】０１０４
【補正方法】変更
【補正の内容】
【０１０４】
（請求項６）    配送計画に係る複数の表を作成する配送計画作成システムの配送計画作成方法において、
第１の表中の第１のデータセットおよび第２の表中の第２のデータセットを第２の表の位置に関連付けてそれぞれ記憶手段に記憶しておき、
前記第１の表および前記第２の表を表示画面の１画面中に表示する表示ステップであって、前記第１の表中に表示する情報を前記第１のデータセットの中の特定の情報に代表させ、前記第２の表中に表示する情報を前記第２のデータセットの中の特定の情報に代表させる表示ステップと、
前記表示画面上で、転記元の第１の表中の位置および転記先の第２の表中の位置を指定する指定ステップと、
当該指定に応じて、前記記憶手段の中の、前記指定ステップにおいて指定された位置に対応する転記元のデータセットを転機先の位置に対応する記憶手段の記憶領域に転記する第１の制御ステップと、
前記指定ステップでの指定に応じて表示画面中の前記第２の表の転記先の位置に、転記されたデータセットの中の特定の情報を表示させる第２の制御ステップとを
具えたことを特徴とする配送計画作成システムの配送計画作成方法。（段落００７５〜００７７）
【手続補正４０】
【補正対象書類名】明細書
【補正対象項目名】０１０５
【補正方法】変更
【補正の内容】
【０１０５】
（請求項７）    複数の表を作成するシステムの情報処理装置において、
第１の表中の第１のデータセットおよび第２の表中の第２のデータセットを第２の表の位置に関連付けてそれぞれ記憶した記憶手段と、
前記第１の表および前記第２の表を表示画面の１画面中に表示する際に、前記第１の表中に表示する情報を前記第１のデータセットの中の特定の情報に代表させ、前記第２の表中に表示する情報を前記第２のデータセットの中の特定の情報に代表させる手段と、
前記表示画面上で、転記元の第１の表中の位置および転記先の第２の表中の位置を指定する指定手段と、
当該指定に応じて、前記記憶手段の中の、前記指定手段により指定された位置に対応する転記元のデータセットを転記先の位置に対応する記憶手段の記憶領域に転記する第１の制御手段と、
前記指定手段の指定に応じて表示画面中の前記第２の表の転記先の位置に、転記されたデータセットの中の特定の情報を表示させる第２の制御手段と
を具えたことを特徴とする情報処理装置。（請求項７に対応する装置発明）
【手続補正４１】
【補正対象書類名】明細書
【補正対象項目名】０１０６
【補正方法】変更
【補正の内容】
【０１０６】
（請求項８）    車両の配送ルートを作成するための配送計画作成システムにおいて、
前記車両の作業先の順番について、前記作業先の種類に対応させて制約を予め設けておき、
前記車両の配送ルートを入力する入力手段と、
当該入力された配送ルートが前記制約を満足するか否かを判定する判定手段と、
当該判定の結果が否の場合にはエラー警告を行なう手段と、
当該判定の結果が満足するの場合には、前記入力手段から入力された車両情報の配送ルートを受け付ける手段と
を具え、前記入力手段は、前記配送ルート上の少なくとも１つの作業先に関する情報を個別入力し、該情報の入力順で前記配送ルートを入力することを特徴とする配送計画作成システム。（段落００８６〜００９１）
（請求項９）    車両の配送ルートを作成するための配送計画作成システムの配送計画作成方法において、
前記車両の作業先の順番について、前記作業先の種類に対応させて制約を予め設けておき、前記配送計画作成システムは、
前記車両の配送ルートを入力する入力ステップと、
当該入力された配送ルートが前記制約を満足するか否かを判定する判定ステップと、
当該判定の結果が否の場合にはエラー警告を行なうステップと、
当該判定の結果が満足するの場合には、前記入力手段から入力された車両情報の配送ルートを受け付けるステップと
を具えたことを特徴とする配送計画作成システムの配送計画作成方法。（段落００８６〜００９１）
【手続補正４２】
【補正対象書類名】明細書
【補正対象項目名】０１０７
【補正方法】変更
【補正の内容】
【０１０７】
（請求項１０）    表の形態で車両の配送計画を表し、当該表を作成する配送計画作成システムにおいて、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
作業先に関する情報を入力する手段と、
前記第１の表および前記第２の表を画面に表示する表示手段と、
前記第１の表の作業先のフィールド中の任意の行を指定し、次に前記第２の表の任意の時刻のフィールドの任意の行を指定する指定手段と、
該指定手段の指定により指定された作業先の作業予定時刻を設定する設定手段と
を具えたことを特徴とする配送計画作成システム。（段落００７１〜００７６の記載）
【手続補正４３】
【補正対象書類名】明細書
【補正対象項目名】０１０８
【補正方法】変更
【補正の内容】
【０１０８】
（請求項１１）    表の形態で車両の配送計画を表し、当該表を作成する配送計画作成システムの配送計画作成方法において、
前記表は、第１の表と第２の表の２種類が用意され、前記第１の表は、車両に関連する第１のフィールドおよび該車両の配送の作業先を示す複数のフィールドを有し、前記第２の表は車両に関連する第２のフィールドおよび配送時刻を示す複数のフィールドを有する表であり、
前記配送計画作成システムの処理ステップは、
作業先に関する情報を入力するステップと、
前記第１の表および前記第２の表を同一画面に表示する表示ステップと、
前記第１の表の作業先のフィールド中の任意の行を指定し、次に前記第２の表の任意の時刻のフィールドの任意の行を指定する指定ステップと、
該指定ステップでの指定により指定された作業先の作業予定時刻を設定する設定ステップと
を具えたことを特徴とする配送計画作成システムの配送計画作成方法。（段落００７１〜００７６の記載）
（請求項１２）    表の形態で車両の配送計画を表し、当該表を作成する配送計画作成システムのサーバの制御プログラムにおいて、
前記表を構成する第１の表と第２の表の２種類が用意され、前記第１の表は、車両に関連する第１のフィールドおよび該車両の配送の作業先を示す複数のフィールドを有し、
前記第２の表は車両に関連する第２のフィールドおよび配送時刻を示す複数のフィールドを有する表を提供する手段と、
作業先に関する情報の入力を促す手段と、
前記第１の表および前記第２の表をクライアントの画面に表示させるための手段と、
前記第１の表の作業先のフィールド中の任意の行を指定し、次に前記第２の表の任意の時刻のフィールドの任意の行を指定させる手段と、
該手段の指定により指定された作業先の作業予定時刻を設定する手段と
を具えたことを特徴とするプログラム。（段落００７１〜００７６の記載）